(57)【要約】【課題】装置小型化、部品実装空間の拡大を図る。【解決手段】ＬＣＤフレーム２２のコーナーガイド部２２ｃが、ＬＣＤ本体２１において封止部２５が形成されている辺２１ａにおいて、ＬＣＤ本体２１の角部２１ｄに対応する部分のみに設けられ、これにより、ディスプレイユニット２０が、ＬＣＤフレーム２２のコーナーガイド部２２ｃと、ＬＣＤ本体２１の封止部２５のみが外周側に突出した構成とされている。一方、フロントケース３０に形成されたディスプレイ収容部３４の側壁３４ｂには、コーナーガイド部２２ｃと封止部２５を収容する部分に、樹脂部３２が切り欠かれて板金部材３１が露出した凹部３５、３６が形成され、これら凹部３５、３６にコーナーガイド部２２ｃ、封止部２５が収容されている。【選択図】図２
2013005257.tif 000002
【特許請求の範囲】
【請求項１】
表示画面を有したディスプレイユニットと、
前記ディスプレイユニットを収容するディスプレイ収容部を有した筺体と、を有し、
前記ディスプレイユニットは、
ディスプレイ本体と、
前記ディスプレイ本体の前記表示画面の反対側の面に沿うよう設けられたフレームと、
前記フレームの一辺において、前記ディスプレイ本体よりも外周側に突出形成された突起部と、を備え、
前記筺体は、前記ディスプレイ収容部に、
前記フレームの一辺において前記突起部以外の部分が対向する壁部と、
前記突起部を収容するため前記壁部に対して外周側に向けて凹とされた突起部収容凹部と、
が形成されていることを特徴とする携帯端末機器。
【請求項２】
前記突起部は、前記フレームの外周部から立ち上がり、前記ディスプレイ本体の角部の外周側を囲うように設けられた側壁を有することを特徴とする請求項１に記載の携帯端末機器。
【請求項３】
前記ディスプレイ本体は、当該ディスプレイ本体を成形するときに形成された、外周側に突出する封止部を有し、
前記筺体の前記ディスプレイ収容部に、前記封止部を収容するため外周側に向けて凹とされた封止部収容凹部をさらに備えることを特徴とする請求項１または２に記載の携帯端末機器。
【請求項４】
前記筺体は、プレート状の板金部材と、前記板金部材がインサートされた樹脂部とから形成され、
前記壁部は前記樹脂部により形成され、
前記突起部収容凹部および前記封止部収容凹部は、前記板金部材が露出した状態に形成され、
前記板金部材は、少なくとも前記突起部収容凹部および前記封止部収容凹部において、前記ディスプレイ収容部の底面から外周側に向けて傾斜して形成されていることを特徴とする請求項１から３のいずれか一項に記載の携帯端末機器。
【発明の詳細な説明】
【技術分野】
【０００１】
本発明は、液晶ディスプレイを備えた各種の携帯端末機器に関する。
【背景技術】
【０００２】
携帯電話端末をはじめとする各種通信端末や、ＰＤＡ（Ｐｅｒｓｏｎａｌ  Ｄｉｇｉｔａｌ  Ａｓｓｉｓｔａｎｔｓ）、デジタルカメラ、音楽再生機器、等の各種携帯端末機器において、表示画面に液晶ディスプレイ（Ｌｉｑｕｉｄ  Ｃｒｙｓｔａｌ  Ｄｉｓｐｌａｙ：以下、ＬＣＤと称する）が多用されている。
【０００３】
特許文献１〜３に記載のように、ＬＣＤ本体は、ＬＣＤフレーム、反射シート、導光板等を備えたバックライトモジュールと組み合わせることでディスプレイユニットを構成している。そして、ディスプレイユニットは、ＬＣＤを用いた機器の筐体を構成するフロントケースにＬＣＤフレームの一部を係合させることで、フロントケースの枠内に位置決め・固定されている。
【０００４】
ここで、特許文献１には、ＬＣＤ本体を補強する平板状のＬＣＤフレームを、フロントケースの内周面に係合させる構成が開示されている。
【０００５】
また、特許文献２には、ＬＣＤフレームが、ＬＣＤ本体の裏面に沿う底板と、ＬＣＤ本体の周囲を囲うように立ち上がる側壁を有する構成が開示されている。この側壁により、ＬＣＤ本体の周囲を保護するとともに、ＬＣＤフレームの強度が高まっている。
【０００６】
特許文献１、３には、フロントケースの強度を確保するため、板金を樹脂中にインサート成形し、その樹脂部にＬＣＤフレームを位置決め・固定する構成が開示されている。
【先行技術文献】
【特許文献】
【０００７】
【特許文献１】特開２００９−２３９６７０号公報
【特許文献２】特開２０１０−７９００１号公報
【特許文献３】特開２０１０−２５８８１８号公報
【発明の概要】
【発明が解決しようとする課題】
【０００８】
このような携帯端末機器においては、その表示面側において筐体に対するＬＣＤの占積率が増大する傾向にある。携帯端末機器を大型化することなくＬＣＤのディスプレイサイズを大きくするため、ＬＣＤの周囲のスペースをなるべく小さくすることが要求されている。
【０００９】
ところが、ＬＣＤ本体は、その外周部に、成形時に生じるガラスのバリや、封止口が突出している。このため、ＬＣＤフレームは、ＬＣＤ本体の損傷を防ぐため、ＬＣＤ本体よりも大きく形成する必要がある。
例えば、特許文献１の構成では、平板状のＬＣＤフレームを、ＬＣＤ本体のバリを含んだ外形寸法よりも大きく形成する。
特許文献２の構成では、ＬＣＤフレームの側壁と、ＬＣＤ本体のバリや封止口との間にクリアランスが形成されるよう、ＬＣＤフレームを形成する。
その結果、ＬＣＤフレームが大きくならざるを得ない。
【００１０】
これに対し、図９に示すように、ＬＣＤフレーム１の側壁１ａに、ＬＣＤ本体３の封止口３ａに対応する部分に切り欠き５を形成することで、ＬＣＤフレーム１の小型化を図ることが考えられる。しかし、このような構成でも、ＬＣＤフレーム１の側壁１ａとＬＣＤ本体３との間に、ＬＣＤ本体３の外周部のガラスのバリを逃げるためのクリアランスは必要である。
【００１１】
このように、ＬＣＤフレームは大きくならざるを得ず、また、フロントケース側も、インサート成形体であるため、板金の両面を覆う樹脂にある程度の肉厚が必要となり、装置小型化、および部品実装空間の拡大の妨げとなるという問題があった。
そこでなされた本発明の目的は、装置小型化、部品実装空間の拡大を図ることのできる携帯端末機器を提供することである。
【課題を解決するための手段】
【００１２】
本発明は、上記課題を解決するため、以下の手段を採用する。
すなわち、本発明の携帯端末機器は、表示画面を有したディスプレイユニットと、ディスプレイユニットを収容するディスプレイ収容部を有した筺体と、を有し、ディスプレイユニットは、ディスプレイ本体と、ディスプレイ本体の表示画面の反対側の面に沿うよう設けられたフレームと、フレームの一辺において、ディスプレイ本体よりも外周側に突出形成された突起部と、を備え、筺体は、ディスプレイ収容部に、フレームの一辺において突起部以外の部分に対向する壁部と、突起部を収容するため壁部に対して外周側に向けて凹とされた突起部収容凹部とが形成されていることを特徴とする。
【発明の効果】
【００１３】
本発明によれば、筺体のディスプレイ収容部にディスプレイユニットを収容したときに、フレームに形成された突起部をディスプレイ収容部の突起部収容凹部に収容し、フレームにおいて突起部以外の部分をディスプレイ収容部の壁部に対向させることによって、ディスプレイ本体を補強するフレームを小型化して、装置小型化、部品実装空間の拡大を図ることができる。
【図面の簡単な説明】
【００１４】
【図１】本実施形態に係る携帯端末機器の外観を示す斜視図である。
【図２】図１に示した携帯端末機器の構成を示す斜視展開図である。
【図３】ディスプレイユニットを示す図であり、（ａ）は斜視図、（ｂ）は正面図、（ｃ）は（ｂ）の右側面図である。
【図４】フロントケースにディスプレイユニットを組み込んだ状態を示す正面図である。
【図５】フロントケースのディスプレイ収容部の要部を示す斜視図である。
【図６】（ａ）は図４のＡ−Ａ断面図、（ｂ）は（ａ）の要部拡大図である。
【図７】（ａ）は図４のＣ−Ｃ断面図、（ｂ）は（ａ）の要部拡大図である。
【図８】（ａ）は図４のＢ−Ｂ断面図、（ｂ）は（ａ）の要部拡大図である。
【図９】従来のディスプレイユニットを示す図であり、（ａ）は斜視図、（ｂ）は正面図、（ｃ）は（ｂ）の右側面図である。
【発明を実施するための形態】
【００１５】
以下、添付図面を参照して、本発明による携帯端末機器を実施するための最良の形態を説明する。しかし、本発明はこれらの実施例のみに限定されるものではない。
【００１６】
図１に示すように、携帯端末機器１０は、フロントケース３０とリヤケース５０とから構成される筐体１１の一面側に、表示部１２が設けられている。
図２に示すように、表示部１２は、フロントケース３０に組み込まれたディスプレイユニット２０と、ディスプレイユニット２０の表示画面を覆うスクリーン４０と、を備えて構成されている。
【００１７】
ディスプレイユニット２０は、パネル状のＬＣＤ本体（ディスプレイ本体）２１と、ＬＣＤ本体２１の背面（表示面と反対側）に設けられたＬＣＤフレーム２２と、ＬＣＤ本体２１の背面側に配置されるバックライトモジュール２３と、が設けられたものである。バックライトモジュール２３は、反射シート、導光板、光源等を備えている。
【００１８】
ここで、図３に示すように、ＬＣＤ本体２１は、その製造工程で外周部にガラスのバリ２４が形成されるとともに、その一辺には、成形時に用いる型においてガラス材料の注入口となる部分に、封止部２５が突出形成されている。
【００１９】
ＬＣＤフレーム２２は、ＬＣＤ本体２１を補強するためのものであり、ＬＣＤ本体２１の背面に沿うプレート状のベースプレート部２２ａを有している。
ＬＣＤフレーム２２のベースプレート部２２ａは、少なくともＬＣＤ本体２１のバリ２４を含んだ外形寸法よりも大きく形成されている。
【００２０】
このようなベースプレート部２２ａの外周部に、ベースプレート部２２ａに直交して立ち上がるガイド壁（側壁）２２ｂが形成されている。このガイド壁２２ｂは、ＬＣＤ本体２１において封止部２５が形成されている辺２１ａにおいて、ＬＣＤ本体２１の角部２１ｄとの間に所定のクリアランスを有するよう形成されている。以下の説明においては、このＬＣＤ本体２１の角部２１ｄに対応する部分のガイド壁２２ｂを、コーナーガイド部（突起部）２２ｃと適宜称する。つまり、ガイド壁２２ｂは、ＬＣＤ本体２１の角部２１ｄに対応する部分のガイド壁２２ｂ以外には、封止部２５や、封止部２５の両側でバリ２４が存在する部分には設けられていない。これにより、ディスプレイユニット２０は、ＬＣＤ本体２１において封止部２５が形成されている辺２１ａにおいて、ＬＣＤフレーム２２のコーナーガイド部２２ｃと、ＬＣＤ本体２１の封止部２５とが、外周側に突出している。
【００２１】
なお、ガイド壁２２ｂは、ＬＣＤ本体２１において封止部２５が形成されている辺２１ａ以外の三辺に沿う部分においては、その全長にわたって設けることもできるし、上記のように角部２１ｄに対向する部分のみに設けても良い。本実施形態では、ガイド壁２２ｂは、ＬＣＤ本体２１において封止部２５が形成されている辺２１ａ以外の三辺の全長にわたって設けられている。そして、辺２１ａに隣接する二つの辺２１ｂ、２１ｃのガイド壁２２ｂには、外周側に向けて突出し、フロントケース３０に係合する係合突起２８、２８が形成されている。
【００２２】
図２、図４〜図８に示すように、フロントケース３０は、ステンレス合金製の板金部材３１と、板金部材３１の両面を覆う樹脂部３２とからなるインサート成形体により形成されている。
【００２３】
ここで、フロントケース３０の一面側には、ディスプレイユニット２０を収容するためのディスプレイ収容部３４が形成されている。
ディスプレイ収容部３４は、ディスプレイユニット２０の背面に対向する底面３４ａと、底面３４ａの外周部からほぼ垂直に立ち上がる側壁３４ｂとを有している。
【００２４】
図４、図５に示すように、底面３４ａの四方を囲む側壁３４ｂのうち、一辺の側壁３４ｂには、その両端部と中央部とに、樹脂部３２が切り欠かれて板金部材３１が露出した凹部（突起部収容凹部）３５、および凹部（封止部収容凹部）３６が形成されている。
【００２５】
図４、図６に示すように、側壁３４ｂの両端部に形成された凹部３５、３５には、ディスプレイユニット２０のＬＣＤフレーム２２において、ＬＣＤ本体２１に対して外周側に突出したコーナーガイド部２２ｃが収容される。
【００２６】
図４、図７に示すように、また、側壁３４ｂの中央部に形成された凹部３６には、ＬＣＤ本体２１の封止部２５が収容される。
【００２７】
図４、図８に示すように、凹部３５、３５、３６以外の部分においては、ディスプレイユニット２０のＬＣＤフレーム２２のベースプレート部２２ａの外周縁部が、樹脂部３２によって形成された側壁３４ｂからなる突き当たり面（壁部）３９に近接、または突き当たる。
【００２８】
ところで、図６〜図８に示すように、板金部材３１は、ディスプレイ収容部３４の底面３４ａを形成する底板部３１ａと、底板部３１ａの外周部から立ち上がる側壁部３１ｂとを有している。板金部材３１は、プレス加工により絞り加工されるもので、このため、側壁部３１ｂは、底板部３１ａに直交して立ち上がるのではなく、底板部３１ａ側から立ち上がり方向に離間するにしたがい、その径方向の寸法が漸次拡大するよう形成されている。これにより、側壁部３１ｂは、底板部３１ａに対して傾斜して形成されている。したがって、凹部３５、３６において露出する板金部材３１の側壁部３１ｂは、外周側に傾斜している。
また、側壁部３１ｂの先端部には、底板部３１ａとほぼ平行に形成された平面部３１ｃが形成されている。
【００２９】
スクリーン４０は、フロントケース３０においてディスプレイ収容部３４の外周側に、接着、係合等の各種固定手段により固定されている。
【００３０】
上述したような構成によれば、ＬＣＤフレーム２２のコーナーガイド部２２ｃが、ＬＣＤ本体２１において封止部２５が形成されている辺２１ａにおいて、ＬＣＤ本体２１の角部２１ｄに対応する部分のみに設けられており、これにより、ディスプレイユニット２０が、ＬＣＤフレーム２２のコーナーガイド部２２ｃと、ＬＣＤ本体２１の封止部２５のみが外周側に突出した構成とされている。
一方、フロントケース３０に形成されたディスプレイ収容部３４の側壁３４ｂには、コーナーガイド部２２ｃと封止部２５を収容する部分に、樹脂部３２が切り欠かれて板金部材３１が露出した凹部３５、３６が形成されている。
そして、ガイド壁２２ｂを有したＬＣＤフレーム２２により十分な強度が確保されたディスプレイユニット２０を、フロントケース３０のディスプレイ収容部３４に収容するに際し、ＬＣＤフレーム２２から突出したコーナーガイド部２２ｃを、ディスプレイ収容部３４に形成された凹部３５に収容することによって、装置小型化、部品実装空間の拡大を図ることができる。これは、言い換えれば、コーナーガイド部２２ｃ以外の部分でガイド壁２２ｂを設けない構成としたことと、樹脂部３２の一部を切り欠いて凹部３５、３６を形成したことによって、ディスプレイユニット２０の外周側におけるフロントケース３０の肉厚を減らすことが可能となったからである。
しかも、コーナーガイド壁２２ｃと凹部３５とを噛み合わせることによって、ディスプレイユニット２０とフロントケース３０に確実に位置決め・固定することもできる。
【００３１】
また、板金部材３１の側壁部３１ｂが傾斜して設けられているため、凹部３５、３６においては、ガイド壁２２ｂや封止部２５との干渉を避けつつ、上記効果をより有効に発揮できる構成となっている。
【００３２】
さらに、凹部３５、３５、３６以外の部分においては、樹脂部３２からなる突き当たり面３９が形成されており、この突き当たり面３９に、ＬＣＤフレーム２２のベースプレート部２２ａの外周縁部が近接、または突き当たることによって、ディスプレイユニット２０を位置決めする機能だけでなく、取り扱い時に携帯端末機器１０を落下させてしまったような場合にも、ディスプレイユニット２０がディスプレイ収容部３４内で動いて破損したりするのを防ぐことができる。
【００３３】
なお、本発明の携帯端末機器は、図面を参照して説明した上述の各実施形態に限定されるものではなく、その技術的範囲において様々な変形例が考えられる。
例えば、上記実施形態では、ＬＣＤフレーム２２の角部にコーナーガイド部２２ｃを設け、このコーナーガイド部２２ｃに対向して凹部３５、３５を設けるようにしたが、このような構成に代えて、ＬＣＤフレーム２２の角部以外の位置に、同様のガイド壁２２ｂを設けても良い。
また、コーナーガイド部２２ｃは、ガイド壁２２ｂの一部として形成する構成としたが、ガイド壁２２ｂを形成せず、ベースプレート部２２ａを外周側に突出することによってコーナーガイド部２２ｃとして機能させることも可能である。
さらに、例えば、携帯端末機器１０の用途や、ディスプレイユニット２０のフロントケース３０への固定構造以外の部分等については、上記した構成に何ら限るものではない。例えば、携帯端末機器１０は、折り畳み式であってもよく、そのような場合には、ディスプレイユニット２０を備える表示筺体に本発明を適用すれば良い。
これ以外にも、本発明の主旨を逸脱しない限り、上記実施の形態で挙げた構成を取捨選択したり、他の構成に適宜変更することが可能である。
【符号の説明】
【００３４】
１０  携帯端末機器
１１  筐体
２０  ディスプレイユニット
２１  ＬＣＤ本体（ディスプレイ本体）
２１ｄ      角部
２２  フレーム
２２ａ      ベースプレート部
２２ｂ      ガイド壁（側壁）
２２ｃ      コーナーガイド部（突起部）
２４  バリ
２５  封止部
２８  係合突起
３０  フロントケース
３１  板金部材
３１ａ      底板部
３１ｂ      側壁部
３１ｃ      平面部
３２  樹脂部
３４  ディスプレイ収容部
３４ａ      底面
３４ｂ      側壁
３５  凹部（突起部収容凹部）
３６  凹部（封止部収容凹部）
３７  支持面
３９  突き当たり面（壁部）
４０  スクリーン
【図１】
2013005257.tif 000003
【図２】
2013005257.tif 000004
【図３】
2013005257.tif 000005
【図４】
2013005257.tif 000006
【図５】
2013005257.tif 000007
【図６】
2013005257.tif 000008
【図７】
2013005257.tif 000009
【図８】
2013005257.tif 000010
【図９】
2013005257.tif 000011